(57)【要約】【課題】同一チャンネルで放送される時間的に連続した番組の録画を効率良く実行する。【解決手段】録画機器（コンテンツ記録装置）で録画を行う番組同士が、同一チャンネルで連続した時間帯に放送される番組の場合であれば、これら２つの番組の録画処理を別々に行うのではなく、１回の録画処理で１つのコンテンツとして記録する。例えば、ある録画予約の設定に基づいて番組の録画を開始すると（ステップＳ８０１）、その番組の録画終了時刻まで録画処理を継続して行う（ステップＳ８０２）。そして、この番組の録画終了時刻の後に、時間的に連続して同一チャンネルで放送される番組が録画予約に設定されている場合には、録画回路を停止せずに、そのまま同一チャンネルで放送される次の番組の録画処理を継続して行う。【選択図】図８Ａ
2009164797.tif 000002
【特許請求の範囲】
【請求項１】
コンテンツの録画予約機能を有するコンテンツ記録手段と、
前記録画予約機能を実行するための録画予約情報を記憶する録画予約情報記憶手段と、
前記録画予約情報記憶手段に記憶されている各録画対象番組の録画開始時刻情報、録画終了時刻情報、放送チャンネル情報を含む複数の録画予約情報のうちの特定の録画予約情報を参照する録画予約情報参照手段と、
前記特定の録画予約情報によって指定される特定の録画対象番組の放送時間と連続した時間帯に同一の放送チャンネルで放送される番組に関する録画予約情報が前記録画予約情報記憶手段に記憶されているか否かを判断する連続録画判断手段と、
前記特定の録画対象番組の放送時間と連続した時間帯に同一の放送チャンネルで放送される前記番組に関する前記録画予約情報が前記録画予約情報記憶手段に記憶されている場合には、前記特定の録画対象番組と、前記特定の録画対象番組の放送時間と連続した時間帯に同一の放送チャンネルで放送される前記番組とを１つのコンテンツとして記録するよう前記コンテンツ記録手段の記録動作を制御するコンテンツ記録制御手段とを、
有するコンテンツ記録装置。
【請求項２】
前記１つのコンテンツとして記録された前記特定の録画対象番組と前記特定の録画対象番組の放送時間と連続した時間帯に同一の放送チャンネルで放送される前記番組とを、それぞれ異なる番組として判別できるようにするコンテンツ分割制御手段を有する請求項１に記載のコンテンツ記録装置。
【発明の詳細な説明】
【技術分野】
【０００１】
本発明は、例えば、放送局から放送される番組などのコンテンツ（映像及び音声によって構成される情報）を記録するコンテンツ記録装置に関する。
【背景技術】
【０００２】
デジタル放送では、従来のアナログ放送に比べて数多くのチャンネルにより多種多様なコンテンツの配信が行われるようになる。したがって、ユーザの視聴したい複数のコンテンツが異なるチャンネルで同一時間帯に重なって放送されてしまうことが増加すると予測される。
【０００３】
一方、ネットワーク技術の急速な進歩や、ＤＶＤ（Digital Versatile Disc）レコーダに代表される光ディスクレコーダやＨＤＤ（Hard Disk Drive）レコーダの売価が下がってきていることにより、個人でも録画機器を複数台接続して録画を行うことができるようになってきている。
【０００４】
このような背景に基づいて、従来、複数番組（例えば２つの番組）の同時録画を行うことが可能な録画機器や、ネットワークを通じて接続された複数の録画機器が連携し、１台の録画機器の能力を超えた録画処理を複数の録画機器で分担して行うようにした録画システムなどが提案されている。
【０００５】
例えば、下記の特許文献１には、放送時間帯の少なくとも一部が重複することを検出した場合に、ネットワークを介して接続された他のハードディスクレコーダにこの重複した録画予約を代行させる技術が開示されている。また、例えば、下記の特許文献２には、自装置による同時記録可能な能力以上の映像記録要求が発生した場合には、ネットワーク上で連携する他の映像記録装置の非稼働資源を活用して、映像記録を行う技術が開示されている。
【特許文献１】特開２００６−４２２３３号公報
【特許文献２】特開２００５−２５２４０２号公報
【非特許文献１】日本ビクター（株）ＤＲ−ＭＨ３００  取り扱い説明書７２ページ，２００５年
【発明の開示】
【発明が解決しようとする課題】
【０００６】
上記の非特許文献１には、『予約録画時、前の予約録画の終了時刻と次の開始時刻が同じ場合、前の番組の最後の部分が録画出来ないことがあります。』と記述されている。この記述は、従来の録画機器が有している共通の課題であり、現行の録画機器において、同一チャンネルであっても録画終了時刻と次の録画開始時刻が同一である連続した時間帯の番組の録画予約を行うと、これらの時間的に連続した番組の録画が重複されていると判断されてしまうという問題がある。また、このように重複していると判断された時間的に連続した番組の録画予約を設定して録画を行うと、重複した時間の前後のコンテンツが一部分欠けてしまうという問題がある。
【０００７】
この問題は、例えば、録画機器に録画回路が１つしか無い場合に生じやすい問題である。すなわち、時間的に連続した番組の録画予約を１つの録画回路で実行しようとした場合、時間的に連続した前の番組の録画処理を停止してから再び時間的に連続した次の番組の録画処理を開始するまでに、録画回路の録画動作に空白時間が生じることに起因する。
【０００８】
なお、複数の録画回路を有する録画機器や、上記の特許文献１や特許文献２の従来技術のようなネットワークを介して複数の録画機器が連携して動作する録画システムでは、時間的に連続した番組を異なる録画回路（又は録画機器）で録画することで、上記の非特許文献１に記載されているような弊害の発生を回避することが可能となるが、録画回路や録画機器を余分に設置する必要があるため、必ずしも効率の良い方法とは言えない。さらに、録画回路や録画機器を増加しても、それらの録画能力を超えるような複数の番組の録画予約が設定される場合には、非特許文献１に記載されているような問題を回避することはできない。
【０００９】
本発明は、上記の問題を解決するため、同一チャンネルで放送される時間的に連続した番組の録画を効率良く実行することが可能なコンテンツ記録装置を提供することを目的とする。
【課題を解決するための手段】
【００１０】
上記の目的を達成するため、本発明によれば、コンテンツの録画予約機能を有するコンテンツ記録手段と、
前記録画予約機能を実行するための録画予約情報を記憶する録画予約情報記憶手段と、
前記録画予約情報記憶手段に記憶されている各録画対象番組の録画開始時刻情報、録画終了時刻情報、放送チャンネル情報を含む複数の録画予約情報のうちの特定の録画予約情報を参照する録画予約情報参照手段と、
前記特定の録画予約情報によって指定される特定の録画対象番組の放送時間と連続した時間帯に同一の放送チャンネルで放送される番組に関する録画予約情報が前記録画予約情報記憶手段に記憶されているか否かを判断する連続録画判断手段と、
前記特定の録画対象番組の放送時間と連続した時間帯に同一の放送チャンネルで放送される前記番組に関する前記録画予約情報が前記録画予約情報記憶手段に記憶されている場合には、前記特定の録画対象番組と、前記特定の録画対象番組の放送時間と連続した時間帯に同一の放送チャンネルで放送される前記番組とを１つのコンテンツとして記録するよう前記コンテンツ記録手段の記録動作を制御するコンテンツ記録制御手段とを、
有するコンテンツ記録装置が提供される。
【００１１】
さらに、本発明によれば、上記の構成に加えて、前記１つのコンテンツとして記録された前記特定の録画対象番組と前記特定の録画対象番組の放送時間と連続した時間帯に同一の放送チャンネルで放送される前記番組とを、それぞれ異なる番組として判別できるようにするコンテンツ分割制御手段を有するコンテンツ記録装置が提供される。
【発明の効果】
【００１２】
本発明によれば、同一チャンネルで放送される時間的に連続した番組の録画を効率良く実行できるという効果を奏する。
【発明を実施するための最良の形態】
【００１３】
以下、図面を参照しながら、本発明のコンテンツ記録装置を用いた第１〜第３の実施の形態について説明する。まず、図１を参照しながら、本発明のコンテンツ記録装置を用いた第１〜第３の実施の形態に共通するコンテンツ記録再生システムについて説明する。
【００１４】
図１は、本発明のコンテンツ記録装置を用いた第１〜第３の実施の形態に共通するコンテンツ記録再生システムの一例を示すブロック図である。図１に図示されているコンテンツ記録再生システムは、４台のＨＤＤレコーダ（録画機器又はコンテンツ記録装置と呼ぶこともある）１〜４が、ＬＡＮ（Local Area Network：ローカルエリアネットワーク）５を介して接続された構成を有している。
【００１５】
ここでは、ＨＤＤレコーダ１〜４のそれぞれに対して、異なるプライベートＩＰ（Internet Protocol：インターネットプロトコル）アドレス（１９２．１６８．０．１０１〜１９２．１６８．０．１０４）が割り当てられているものとする。なお、説明を簡略化するため、ＨＤＤレコーダ１〜４に割り当てられているＩＰアドレスは、ＤＨＣＰ（Dynamic Host Configuration Protocol）などによって変更されることがないアドレス（固定アドレス）であるとする。また、本発明の第１の実施の形態では、ＨＤＤレコーダ１〜４は、録画回路を１つのみ有し、複数番組の同時録画を行うことができない（重複する時間帯の番組を同時に録画する機能を有さない）ものとする。
【００１６】
また、図２は、図１に図示されているコンテンツ記録再生システムを構成する、本発明の一実施の形態であるＨＤＤレコーダの主要な機能を示すブロック図である。なお、図２には、図１に図示されているＨＤＤレコーダ１の主要な機能が図示されているが、図示されているＨＤＤレコーダ２〜４も同様の構成を有している。なお、図２に図示されている各機能ブロックは、ハードウェア及び／又はソフトウェア（プログラム）によって実現可能である。
【００１７】
図２に図示されているＨＤＤレコーダ１は、ＬＡＮ５に接続され、ＬＡＮ５を介して他のＨＤＤレコーダ２〜４との間でデータの送受信を行う通信インタフェース（Ｉ／Ｆ）１１、当該ＨＤＤレコーダ１の全体的な制御を行う制御部１２、ＲＯＭ（Read Only Memory）及びＲＡＭ（Random Access Memory）を備える記憶部１３、コンテンツをハードディスクや光ディスクなどのコンテンツ格納部１５に記録（録画）するとともに、コンテンツ格納部１５に記録したコンテンツの再生を行う記録再生部１４を有している。
【００１８】
なお、不図示であるが、ＨＤＤレコーダ１は、放送信号の受信選局機能を有しており、この受信選局機能は、例えば記録再生部１４に組み込まれていてもよい。また、ＨＤＤレコーダ１は、ＥＰＧ（Electronic Program Guide：電子番組ガイド）情報の受信機能を有しており、このＥＰＧ受信機能は、例えば制御部１２に組み込まれていてもよい。また、例えばＬＡＮ５上にネットワーク対応の共有ＨＤＤが接続されており、ＨＤＤレコーダ１はコンテンツ格納部１５の代わりに、この共有ＨＤＤにコンテンツを記録してもよい。
【００１９】
また、制御部１２は、録画予約が行われる番組の放送時間帯（放送開始日時や放送終了日時）や放送チャンネルなどを参照して、一方の番組の録画によって他方の番組の録画に支障が生じてしまうか否か（番組の一部又は全部の録画が不可能となるか否か）を判断する機能、一方の番組の録画によって他方の番組の録画に支障が生じてしまう場合には、これらの番組が時間的に連続して同一チャンネルで放送される番組か否かを判断する機能、録画に支障が生じてしまう場合に時間的に連続して同一チャンネルで放送される番組に関しては、録画回路などの動作を停止せずに（すなわち録画処理を停止せずに）、前後の番組を連続して録画するように判断・制御する機能、録画に支障が生じてしまう場合に異なるチャンネルで放送され時間的に連続していない番組（放送時間帯が重なっている番組）に関しては、他の録画機器に録画予約の依頼を行うよう決定し録画予約依頼処理を行う機能などを有している。
【００２０】
また、図３は、図２に図示されているＨＤＤレコーダ１の記憶部１３及びコンテンツ格納部１５に格納されるデータを説明するための模式図である。図３に示すように、記憶部１３には、録画予約を行う番組を示す番組データにより構成される録画予約テーブル１３ａと、録画を行った番組を示す番組データにより構成される録画済み番組テーブル１３ｂとが格納されている。
【００２１】
録画予約テーブル１３ａや録画済み番組テーブル１３ｂに格納される番組データは、番組のタイトルなどを含む番組名、録画の開始時刻を示す録画開始日時、録画の終了時刻を示す録画終了時刻、番組が放送されたチャンネル、番組の録画を依頼した場合にその依頼先（委託先）を示すチャイルドポインタ、番組の録画を依頼された場合にその依頼元（委託元）が登録されたリンクテーブルを示すリンクテーブルポインタの各項目により構成される。なお、録画済み番組テーブル１３ｂに格納される番組データは、その番組データが対応するコンテンツ格納部１５内のコンテンツを示す情報を含む項目を有することが望ましい。
【００２２】
図３の録画予約テーブル１３ａのチャイルドポインタは、予約録画をローカル（自機）で行うか否かを示すための項目である。例えば、チャイルドポインタに“ＥＮＤ”が記載される場合には、予約録画をローカル（自機）で行うことを意味する。一方、チャイルドポインタにアドレスが記載される場合には、そのアドレスによって識別される録画機器で予約録画を行うことを意味する。以上のように、図３の録画予約テーブル１３ａのチャイルドポインタには、自機が他の録画機器に対して録画予約を依頼した場合に、その依頼先のアドレスが設定されることになる。
【００２３】
また、図３の録画済み番組テーブル１３ｂのリンクテーブルポインタは、予約録画の依頼を他の録画機器から受理したか否かを示すための項目である。例えば、リンクテーブルポインタに“ＮＵＬＬ”が記載される場合には、この予約録画は他の録画機器から依頼されたものではないこと（すなわち、ローカル（自機）で設定された録画予約であること）を意味する。一方、リンクテーブルポインタにリンクテーブルアドレスが記載される場合には、そのリンクテーブルアドレスによって特定されるリンクテーブルに記載されているアドレスによって識別される録画機器から予約録画の依頼を受けたことを意味する。以上のように、図３の録画済み番組テーブル１３ｂのリンクテーブルポインタには、他の録画機器からの録画予約の依頼を受理した場合に、その依頼元のアドレスを含むリンクテーブルのリンクテーブルアドレスが設定されることになる。
【００２４】
なお、図３には不図示だが、録画予約の依頼を受けた場合に、その録画予約の番組に対応するリンクテーブルが作成され、記憶部１３に記憶されることが望ましい。なお、同一番組に関して、複数の録画機器から録画予約の依頼を受けた場合には、これら複数の録画機器のアドレスをリンクテーブルに記載する。また、この録画予約がローカル（自機）でも設定されている場合には、自機のアドレスもリンクテーブルに追加する。
【００２５】
また、ＨＤＤレコーダ１は、録画予約を設定した場合にはその録画予約の番組の番組データを録画予約テーブル１３ａに格納し、その番組の録画処理が完了した際には、その番組の番組データを録画予約テーブル１３ａから録画済み番組テーブル１３ｂに移動する。
【００２６】
以下、上述の図１〜図３に図示されている構成に基づいて、本発明の第１〜第３の実施の形態に係る動作について順次説明する。
【００２７】
＜第１の実施の形態＞
まず、本発明の第１の実施の形態について説明する。以下では、本発明の第１の実施の形態において、図１に図示されているコンテンツ記録再生システムを構成するＨＤＤレコーダ１〜４のいずれにおいても録画予約がまったく設定されていない初期状態から、ユーザがＨＤＤレコーダ１に対して、重複した時間帯又は連続した時間帯の番組の録画予約を行う場合について説明する。
【００２８】
なお、本発明の第１の実施の形態では、図４に図示されている番組表に記載されている番組の予約を行う場合について説明する。図４には、４つのチャンネル（Ａテレビ、Ｂテレビ、Ｃテレビ、Ｄテレビ）の１９：００〜２１：００までの放送予定番組が記載されている。また、下記の説明を簡略化するため、Ｃテレビで１８：５５から放送される番組『Ｃ：ＡＡＡ』を番組（１）、Ａテレビで１９：３０から放送される番組『Ａ：ＢＢＢ』を番組（２）、Ｃテレビで１９：５８から放送される番組『Ｃ：ＢＢＢ』を番組（３）、Ａテレビで２０：００から放送される番組『Ａ：ＣＣＣ』を番組（４）、Ｄテレビで２０：００から放送される番組『Ｄ：ＢＢＢ』を番組（５）と表記し、ユーザがＨＤＤレコーダ１に対して、番組（１）〜（５）の番組の録画予約を順番に行うものとする。
【００２９】
（第１の動作：番組（１）の録画予約）
まず、ユーザは、ＨＤＤレコーダ１に対して番組（１）の録画予約を行う。初期状態では、どのＨＤＤレコーダ１〜４においても録画予約が設定されていないので、番組（１）の録画予約はそのまま設定される。このとき、ＨＤＤレコーダ１の録画予約テーブル１３ａには、番組（１）の録画予約情報として番組（１）の番組データが設定される。なお、録画予約テーブル１３ａ内の番組（１）に関する番組データのチャイルドポインタには“ＥＮＤ”、リンクテーブルポインタには“ＮＵＬＬ”が記載される。
【００３０】
（第２の動作：番組（２）の録画予約）
次に、ユーザが、ＨＤＤレコーダ１に対して番組（２）の録画予約を行うとする。なお、図５には、番組（２）の録画予約が設定される場合の番組データの状態が模式的に図示されており、適宜図５を参照して説明を行う。
【００３１】
ここでは、ＨＤＤレコーダ１には既に番組（１）の録画予約が設定されており、この番組（１）と重複する時間帯に別のチャンネルで放送される番組（２）の同時録画を行うことが不可能である。この場合、ＨＤＤレコーダ１は、記憶部１３内の録画予約テーブル１３ａに番組（２）の情報を含む番組データを作成するとともに、自機では番組（２）の録画を行うことができないので、他の連携する録画機器（ＨＤＤレコーダ２〜４）に対して番組（２）の録画予約を依頼する。なお、この時点でＨＤＤレコーダ１が作成した番組（２）の番組データのチャイルドポインタには“ＥＮＤ”、リンクテーブルポインタには“ＮＵＬＬ”が記載される（図５の番組データ２０Ａ）。
【００３２】
ＨＤＤレコーダ１は、録画予約可能な録画機器（ＨＤＤレコーダ２〜４）を探すため、例えば、ＬＡＮ５上のＨＤＤレコーダ２〜４に対してブロードキャスト（ＬＡＮ５全体に対する一括送信）によって、番組（２）の録画予約先探索情報を送信する。この録画予約先探索情報を受信したＨＤＤレコーダ２〜４は、自機がこの番組（２）の録画予約が可能か否かを判断し、その判断結果をＨＤＤレコーダ１に返送する。このとき、録画予約が不可能なＨＤＤレコーダ２〜４はＨＤＤレコーダ１への返送を行わず、録画予約が可能なＨＤＤレコーダ２〜４のみが、その判断結果（録画予約可能）をＨＤＤレコーダ１に返送してもよい。
【００３３】
なお、録画予約先探索情報を受信したＨＤＤレコーダ２〜４は、番組の録画予約が可能か否かを時間帯の重なりのみで判断せず、放送されるチャンネルを考慮して判断することが可能である。すなわち、録画予約先探索情報によって録画予約の依頼先の探索が行われている番組に対して、時間的に連続している同一チャンネルの別の番組の録画予約が既に設定されている場合（例えば、番組（２）の録画予約を依頼された際に、この番組（２）に連続して放送される番組（４）の録画予約が既に設定されている場合）、従来の技術によれば録画回路の切り換えによって一部が欠けて録画されるという弊害が生じる可能性があったが、本発明の技術を用いれば、同一チャンネルで放送される時間帯が連続している番組に関しては録画可能であると判断することが可能である。
【００３４】
初期状態の仮定から、ＬＡＮ５上のＨＤＤレコーダ１以外のＨＤＤレコーダ２〜４において録画予約が設定されていないので、録画予約先探索情報に対する応答として、ＬＡＮ５上のすべてのＨＤＤレコーダ２〜４から番組（２）の録画予約が可能な旨の通知がＨＤＤレコーダ１に返送される。この場合、番組（２）の予約録画を依頼するＨＤＤレコーダ１は、任意の条件に基づいてＨＤＤレコーダ２〜４の中から番組（２）の録画予約を行わせる録画機器を選択し、番組（２）の録画予約の依頼を行うことが可能である。ここでは、ＨＤＤレコーダ１は、録画予約可能の返信が早く着信したＨＤＤレコーダ２を選択して、番組（２）の録画予約の依頼を行うものとする。
【００３５】
なお、例えば、ＨＤＤレコーダ１〜４に学習機能を持たせ、自機において予約録画が設定される時間帯を学習できるようにしてもよい。録画予約先探索情報に対する応答を行うＨＤＤレコーダ２〜４は、番組（２）の放送時間帯が自機で予約録画が行われる時間帯ではない旨を学習結果から把握できる場合には、番組（２）の放送時間帯は、通常ＨＤＤレコーダ２〜４が未使用の時間帯である旨の情報を応答に付加し、依頼元のＨＤＤレコーダ１が番組（２）の依頼先を選択する際の条件として参照できるようにしてもよい。これによって、ＨＤＤレコーダ１〜４においてある番組の予約録画を行おうとした場合に、既に他のＨＤＤレコーダ１〜４からの依頼に基づく録画予約が設定されているため、その番組の録画予約が設定できないなどのリスクを減らすことが可能となる。
【００３６】
上述のように、ＨＤＤレコーダ１が、例えばブロードキャストによって送信した録画予約先探索情報に対する応答に基づいて、番組（２）の録画予約の依頼先（ここでは、ＨＤＤレコーダ２）を決定すると、そのＨＤＤレコーダ２に対して番組（２）の録画予約の依頼を行う。番組（２）の録画予約の依頼をＨＤＤレコーダ２が受理すると、ＨＤＤレコーダ２に番組（２）の録画予約が設定される（図５の番組データ２０Ｅ）。
【００３７】
そして、ＨＤＤレコーダ２は、録画予約の登録が完了すると録画予約の依頼元であるＨＤＤレコーダ１に録画予約受理通知を送ると同時に、ＨＤＤレコーダ２の記憶部１３内の録画予約テーブル１３ａに、番組録画予約情報として番組（２）の番組データを格納する（図５の番組データ２０Ｇ）。なお、ＨＤＤレコーダ２の記憶部１３内の録画予約テーブル１３ａには、録画予約の依頼元のアドレス（ＨＤＤレコーダ１のアドレス：１９２．１６８．１．１０１）が記載されたリンクテーブル（図５のリンクテーブル２１）が作成されるとともに、このリンクテーブルの読み出し位置（リンクテーブルアドレス）を示すリンクテーブルポインタが番組（２）の番組データに記載される。
【００３８】
また、録画予約の依頼元であるＨＤＤレコーダ１は、録画予約受理通知をＨＤＤレコーダ２から受信すると、ＨＤＤレコーダ１の記憶部１３内の録画予約テーブル１３ａに番組（２）の番組データのチャイルドポインタを、“ＥＮＤ”から録画予約の依頼先のアドレス（ＨＤＤレコーダ２のアドレス：１９２．１６８．１．１０２）に書き換える（図５の番組データ２０Ｆ）。
【００３９】
なお、番組（２）の録画予約先探索情報をＨＤＤレコーダ１から受信したＨＤＤレコーダ２〜４に番組（２）の録画予約が既に設定されている場合には、ＨＤＤレコーダ２〜４は、録画予約先探索情報に対する応答として、同一の番組（２）の録画予約が既に設定されている旨をＨＤＤレコーダ１に返答してもよい。これにより、ＨＤＤレコーダ１は、既に番組（２）の録画予約が設定されているＨＤＤレコーダ２〜４に番組（２）の録画予約の依頼を行うことで、ＨＤＤレコーダの使用効率を上げることが可能となる。
【００４０】
（第３の動作：番組（３）の録画予約）
上述の第１及び第２の動作によって、現在ＨＤＤレコーダ１記憶部１３内の録画予約テーブル１３ａには番組（１）及び番組（２）の番組データが登録されている。番組（１）の番組データは、自機で録画が行われるよう設定されている一方、番組（２）の番組データは、ＨＤＤレコーダ２に録画予約の依頼を行ったものであり、チャイルドポインタには録画予約の依頼先であるＨＤＤレコーダ２のアドレスが記載されている。
【００４１】
ここで、ユーザは、番組（３）の録画予約をＨＤＤレコーダ１で行うとする。従来、既に予約されている番組（１）と同一チャンネルであるが番組（１）の録画終了時刻と番組（２）の録画開始時刻が同じため、これらの番組の一部が欠けて録画されてしまうおそれがある。したがって、従来の技術によれば、ＨＤＤレコーダ１ではローカル（自機）に録画予約が設定されず、別のＨＤＤレコーダ２〜４に録画依頼することになる。一方、本発明に係る技術では、同一チャンネルで放送される録画終了時刻＝録画開始時刻の連続した番組の録画に関しては継続して録画処理を行うことで、番組の一部が欠けることのないように録画を行うことが可能であり、他の録画機器に録画予約の依頼を行う必要はない。これにより、無駄に他のＨＤＤレコーダ（録画リソース）を使用してしまったり、録画予約の依頼や実際に録画されたコンテンツのやり取りなどのようなＬＡＮ５上の伝送リソースや伝送時間を費やしたりする必要がなくなる。
【００４２】
（第４の動作：番組（４）の録画予約）
さらに、ユーザが引き続き、番組（４）の録画予約をＨＤＤレコーダ１で行うとする。なお、図６には、番組（４）の録画予約が設定される場合の番組データの状態が模式的に図示されており、適宜図６を参照して説明を行う。
【００４３】
番組（４）の録画予約は、基本的に番組（２）の録画予約と同様の手順で行われる。すなわち、ＨＤＤレコーダ１が、番組（４）の録画予約先探索情報をＬＡＮ５上にブロードキャスト送信することで、その番組（４）の録画予約が可能な他の録画機器を把握し、番組（４）の録画予約が可能な録画機器を選択して、番組（４）の録画予約の依頼先（ここでは、ＨＤＤレコーダ２）を決定すると、ＨＤＤレコーダ２に対して番組（４）の録画予約の依頼を行う。番組（４）の録画予約の依頼をＨＤＤレコーダ２が受理すると、ＨＤＤレコーダ２に番組（４）の録画予約が設定される（図６の番組データ３０Ｅ）。
【００４４】
そして、ＨＤＤレコーダ２は、録画予約の登録が完了すると録画予約の依頼元であるＨＤＤレコーダ１に録画予約受理通知を送ると同時に、ＨＤＤレコーダ２の記憶部１３内の録画予約テーブル１３ａに、番組録画予約情報として番組（４）の番組データを格納する（図６の番組データ３０Ｇ）。なお、ＨＤＤレコーダ２の記憶部１３内の録画予約テーブル１３ａには、録画予約の依頼元のアドレス（ＨＤＤレコーダ１のアドレス：１９２．１６８．１．１０１）が記載されたリンクテーブル（図６のリンクテーブル３１）が作成されるとともに、このリンクテーブルの読み出し位置（リンクテーブルアドレス）を示すリンクテーブルポインタが番組（４）の番組データに記載される。
【００４５】
また、録画予約の依頼元であるＨＤＤレコーダ１は、録画予約受理通知をＨＤＤレコーダ２から受信すると、ＨＤＤレコーダ１の記憶部１３内の録画予約テーブル１３ａに番組（４）の番組データのチャイルドポインタを、“ＥＮＤ”から録画予約の依頼先のアドレス（ＨＤＤレコーダ２のアドレス：１９２．１６８．１．１０２）に書き換える（図６の番組データ３０Ｆ）。
【００４６】
ここでは、番組（４）の録画予約が行われる前に、ＨＤＤレコーダ２には既に番組（２）の録画予約が設定されている。このとき、ＨＤＤレコーダ１は、録画予約の設定されていないＨＤＤレコーダ３又はＨＤＤレコーダ４より、既に録画予約が設定されているＨＤＤレコーダ２を選択することで、ＨＤＤレコーダの使用効率を向上することが可能となる。ＨＤＤレコーダ１は、番組（４）の録画予約を依頼する際に、番組（４）の前後で連続する同一チャンネルの番組（例えば番組（２））の録画予約の有無を同時に問い合わせ、その問い合わせ結果に基づいて、番組（４）の前後で連続する同一チャンネルの番組の録画予約が設定されているＨＤＤレコーダ２に録画予約の依頼を行うようにしてもよい。なお、ＨＤＤレコーダ１は、ＨＤＤレコーダ２以外の、番組（４）の録画予約が可能な録画機器の中から任意の録画機器を選択してもよい。
【００４７】
（第５の動作：番組（５）の録画予約）
上述の第１〜第４の動作によって、現在ＨＤＤレコーダ１の記憶部１３内の録画予約テーブル１３ａには番組（１）〜番組（４）の４つ番組データが登録されている。なお、番組（１）及び番組（３）の番組データは、自機で録画が行われるよう設定している一方、番組（２）及び番組（４）の番組データは、ＨＤＤレコーダ２に録画予約の依頼を行ったものである。
【００４８】
ここで、さらに、ユーザが引き続き、番組（５）の録画予約をＨＤＤレコーダ１で行うとする。なお、図７には、番組（５）の録画予約が設定される場合の番組データの状態が模式的に図示されており、適宜図７を参照して説明を行う。
【００４９】
番組（５）は、ローカル（自機）において既に録画予約が設定されている番組（３）と放送時間帯が重なっており、放送されるチャンネルも異なるので、ＨＤＤレコーダ１は自機において番組（５）の録画予約を設定することはできない。したがって、ＨＤＤレコーダ１は、番組（５）の録画予約先探索情報をＬＡＮ５上にブロードキャスト送信することで、その番組（５）の録画予約が可能な他の録画機器を探索する。このとき、ＨＤＤレコーダ２においても、番組（５）と放送時間帯が重なっている同一チャンネルの番組（４）の録画予約が既に設定されているため、ＨＤＤレコーダ２は番組（５）の録画予約の設定は不可能であると判断し、録画予約先探索情報に対する応答を返信しないか、あるいは番組（５）の録画が不可能である旨を示す応答をＨＤＤレコーダ１に返信する。
【００５０】
なお、ＨＤＤレコーダ１は、ＨＤＤレコーダ３、４からは番組（５）の録画予約が可能な旨を通知する応答を受信し、これらのＨＤＤレコーダのうちの任意のＨＤＤレコーダ（例えばＨＤＤレコーダ３）を選択して、番組（５）の録画予約を依頼する。番組（５）の録画予約に関しても、基本的に番組（２）の録画予約と同様の手順で行われ、最終的に、ＨＤＤレコーダ１の記憶部１３内の録画予約テーブル１３ａには、番組録画予約情報として番組（５）の番組データが格納されるとともに（図７の番組データ４０Ｇ）、録画予約の依頼元のアドレス（ＨＤＤレコーダ１のアドレス：１９２．１６８．１．１０１）が記載されたリンクテーブル（図６のリンクテーブル４１）が作成・記憶される。また、ＨＤＤレコーダ１には、チャイルドポインタに録画予約の依頼先のアドレス（ＨＤＤレコーダ３のアドレス：１９２．１６８．１．１０３）が記載された番組（５）の番組データが記憶される（図６の番組データ４０Ｆ）。
【００５１】
（録画実行時の動作）
上述の動作によって、ＨＤＤレコーダ１における番組（１）〜（５）の録画予約が完了する。なお、実際にＨＤＤレコーダ１で録画予約に係る番組の録画が実行されるのは番組（１）及び番組（３）に関してのみであり、番組（２）及び番組（４）に関してはＨＤＤレコーダ２で録画が行われ、番組（５）に関してはＨＤＤレコーダ３で録画が行われる。ＨＤＤレコーダ１〜４で行われる録画処理は、基本的にローカル（自機）の録画予約テーブル１３ａ内の番組データを参照し、自機での録画が設定されている番組に関してのみ録画を行えばよい。
【００５２】
以下、本発明の第１の実施の形態における番組の録画処理について、図８Ａを参照しながら説明する。図８Ａは、本発明の第１の実施の形態における番組の録画処理の一例を示すフローチャートである。
【００５３】
図８Ａにおいて、録画予約が設定されている録画対象番組（例えば番組（１））の録画開始時刻になると、ＨＤＤレコーダ１は、この番組を受信して録画を開始する（ステップＳ８０１）。そして、この番組の放送時間中は録画処理を継続し（ステップＳ８０２）、番組の録画終了時刻になると（ステップＳ８０３）、現在録画した番組と同一のチャンネルで時間的に連続した番組（この場合、番組（３））の録画予約が設定されているか否かを確認する（ステップＳ８０４）。
【００５４】
同一のチャンネルで時間的に連続した番組（番組（３））に係る録画予約が設定されていない場合には（ステップＳ８０４で『いいえ』）、録画処理を停止する一方（ステップＳ８０６）、同一のチャンネルで時間的に連続した番組（番組（３））に係る録画予約が設定されている場合には（ステップＳ８０４で『はい』）、連続する前の番組（番組（１））に係る録画処理を停止せずに同一チャンネルの録画を継続することで、後続の番組（番組（３））の録画処理を行う（ステップＳ８０５）。なお、番組（３）に関しても番組（１）と同様に、ステップＳ８０２に戻って番組（３）の録画処理を継続して行い、再び、番組（３）と同一チャンネルの時間的に連続した番組の録画予約の有無をステップＳ８０４で確認することが可能である。
【００５５】
なお、ここでは説明のために、ステップＳ８０３における録画終了時刻の後で、ステップＳ８０４における同一チャンネルの後続の番組の録画予約の有無の確認が行われているように図示されているが、実際には、ステップＳ８０３で録画終了時刻となる前に、事前にステップＳ８０４における確認を行うことが望ましい。これにより、番組（１）の録画終了時刻になっても録画処理を停止せず、引き続き番組（３）の録画を継続して行うことが可能となる。
【００５６】
番組（３）の録画終了時刻になると、ＨＤＤレコーダ１は、今録画しているチャンネルと同一のチャンネルで時間的に連続した番組の録画予約が設定されているか否かを再び確認する。なお、上述の例では、番組（３）以降に連続して同一チャンネルで放送される番組に係る録画予約は設定されていないので、ＨＤＤレコーダ１は録画処理を終了する。
【００５７】
この録画動作によってコンテンツ格納部１５に格納されたコンテンツは、同一チャンネルで時間的に連続して放送された番組（１）及び番組（３）が１つにつながった映像・音声データである。そこで、ＨＤＤレコーダ１は、録画処理終了後、コンテンツ格納部１５に格納されたコンテンツにおける番組（１）と番組（３）との区切り位置（すなわち、番組（１）の録画終了時刻＝番組（３）録画開始時刻に対応する位置）を計算し、その区切り位置を番組（１）のコンテンツの最後尾、及び番組（３）のコンテンツの先頭として取り扱うことができるようにする。これにより、１つの映像・音声データとしてまとめて録画された番組（１）及び番組（３）を別々のコンテンツとして論理的に分けることが可能となる。
【００５８】
なお、録画処理終了後に番組間の区切り位置を計算するのではなく、録画実行時に、番組の切り換わり位置（番組（１）の録画終了時刻＝番組（３）録画開始時刻に録画された位置）を記憶部１３にメタデータとして記憶しておくことで、この切り換わり位置を番組（１）と番組（３）との区切り位置として使用してもよい。
【００５９】
そして、録画が終了した番組の番組データを録画予約テーブル１３ａから録画済み番組テーブル１３ｂに移して、録画処理は完了となる。
【００６０】
なお、同一チャンネルで放送される番組が連続していると判断される条件としては、前の番組の録画終了時刻と、次の番組の録画開始時刻とが同一である場合が挙げられるが、実際には、前の番組の録画処理を停止してから次の番組の録画処理を開始するまでの間隔が、録画される映像・音声データの一部が欠けるなどのように、録画される映像・音声データに支障を来たす程度の時間より短い場合に、２つの番組は時間的に連続していると判断されることが望ましい。
【００６１】
現行、通常はユーザが設定できる録画予約の時間は１分単位であり、前の番組の録画を停止してから次の番組の録画を開始するまでに１分あれば、録画される映像・音声データの一部が欠けるなどの支障が生じることはない。すなわち、前の番組が１９時５９分に終了し、次の番組が２０時００分に開始する場合には、これら２つの番組は不連続であると判断できる。
【００６２】
一方、例えば録画予約の設定時間が１秒単位で設定できるとすると、前の番組が１９時５９分５９秒に終了し、次の番組が２０時００分００秒に開始するという設定が行われることも考えられる。この場合には、１秒の時間差は数値的には不連続であるが、現状のＨＤＤレコーダの録画回路では、録画処理の停止を行ってから再び録画処理を開始するという一連の動作を完了することが不可能な時間である。このように、番組間で数値的に不連続な時間帯が存在しても、この時間帯が、ＨＤＤレコーダが前の番組の録画を終了してから次の番組の録画を開始するまでの処理時間より短い場合には、２つの番組は連続している（連続した時間帯である）と判断し、前の番組に係る録画処理を停止せずに次の番組の録画を続行することが望ましい。なお、２つの番組が連続していると判断する時間は任意に設定可能であり、例えば、５分程度の別番組を挟んで２つの番組が時間的に連続している場合においても、これら２つの番組が連続していると判断してもよい。
【００６３】
また、２つの番組を連続した１つの映像・音声データとして記録する場合、例えば２つの番組間に不要な部分が含まれている場合には、録画終了後（あるいは転送又は再生を行う際）にユーザが設定した録画予約情報に従って自動的に録画コンテンツの分割編集を行ったり、実際に録画されたコンテンツには手を加えずに、再生処理の際に参照される情報（プレイリスト）を自動生成したりすることによって、ユーザが録画予約を設定したとおりに再生できるようにしてもよい。さらに、ＨＤＤレコーダの処理が間に合わないなどの理由で、ユーザが意図しない部分が録画されてしまった場合には、自動的に不要部分を自動削除するようにしてもよい。
【００６４】
（再生時の動作）
次に、本発明の第１の実施の形態におけるコンテンツの再生処理について、図８Ｂを参照しながら説明する。図８Ｂは、本発明の第１の実施の形態において録画されたコンテンツの再生処理の一例を示すフローチャートである。
【００６５】
図８Ｂにおいて、ＨＤＤレコーダ１〜４は、あるコンテンツの再生要求を受けた場合（ステップＳ８１１）、そのコンテンツに対応する録画済み番組テーブル１３ｂ内の番組データのチャイルドポインタを参照して、他の録画機器のアドレスが記載されているか否かを確認する（ステップＳ８１２）。すなわち、このステップＳ８１２では、再生対象のコンテンツの録画予約を他の録画機器に依頼したか否かを確認する。
【００６６】
チャイルドポインタの記載が“ＥＮＤ”の場合は（ステップＳ８１２で『いいえ』）、そのコンテンツが、録画予約が行われたＨＤＤレコーダで実際の録画が行われた番組（すなわち、録画予約が他の録画機器に依頼されなかった番組）のコンテンツであることを示しており、対応するコンテンツを自機のコンテンツ格納部１５から読み出して再生処理を行う（ステップＳ８１３）。
【００６７】
一方、チャイルドポインタにアドレスが記載されている場合には（ステップＳ８１２で『はい』）、そのコンテンツの番組の録画予約が他の録画機器（上記のアドレスによって特定される録画機器）に依頼されており、その録画機器で録画が行われた番組のコンテンツであることを示している。この場合、再生対象のコンテンツを録画した録画機器に対してコンテンツを要求することで、ＬＡＮ５を通じてコンテンツを受信しながら同時に再生処理を行う（ステップＳ８１４）。
【００６８】
なお、コンテンツを格納しておく場所や、コンテンツの転送タイミングに関しては、任意の設定を行うことが可能である。すなわち、上述のように、コンテンツは実際に録画が行われた録画機器のコンテンツ格納部に保存され、コンテンツ再生要求に応じて、コンテンツを格納している録画機器からコンテンツを再生する録画機器に随時ＬＡＮ５を通じてコンテンツの転送が行われてもよく、この場合、コンテンツを再生した録画機器がそのコンテンツをキャッシュしてもよい。
【００６９】
また、番組の録画処理が終了した時点で即座に、実際に録画を行った録画機器（録画予約の依頼先の録画機器）が、録画予約の依頼元の録画機器（この番組の番組データのリンクテーブルポインタによって特定されるリンクテーブルに記載されているアドレス）にＬＡＮ５を通じて、その番組のコンテンツを転送するとともに、録画予約の依頼元の録画機器に移されたコンテンツに関しては、実際に録画を行った録画機器内から自動的に削除されてもよい。また、同一チャンネルで時間的に連続して放送された複数の番組をまとめて録画した場合には、まとめて記録された映像・音声データを番組単位で分割し、コンテンツの再生を要求する録画機器や録画予約の依頼元である録画機器に対して番組単位のコンテンツを転送することが望ましい。
【００７０】
また、各ＨＤＤレコーダ１〜４は、録画を行ったコンテンツをＬＡＮ５上に接続されているネットワーク対応の共有ＨＤＤに移動することで、コンテンツが共有ＨＤＤに集積されるようにしてもよい。
【００７１】
＜第２の実施の形態＞
次に、本発明の第２の実施の形態について説明する。以下では、本発明の第２の実施の形態として、図１に図示されている構成において、ＨＤＤレコーダ１〜３には上述の第１の実施の形態に基づいて、図９に示す番組（１）〜（５）の録画予約が設定されている状態で、新たに別のユーザが有するＨＤＤレコーダ４が番組（５）及び番組（６）の録画予約を行う場合について説明する。なお、以下では、図１０を適宜参照して説明を行う。
【００７２】
上述の本発明の第１の実施の形態における動作により、ＨＤＤレコーダ１において番組（１）〜番組（５）の録画予約の設定操作が行われ、ＨＤＤレコーダ１には番組（１）及び番組（３）の録画予約、ＨＤＤレコーダ２には番組（２）及び番組（４）の録画予約、ＨＤＤレコーダ３には番組（５）の録画予約が設定されているとする。
【００７３】
ここで、ＨＤＤレコーダ４において、図９に示す番組（５）の録画予約が新たに設定されるとする。なお、この番組（５）は、既にＨＤＤレコーダ１における録画予約の設定操作によってＨＤＤレコーダ３に録画予約が設定されている番組である。しかしながら、ＨＤＤレコーダ４を操作しているユーザ（以下、ユーザ２と呼ぶ）と、本発明の第１の実施の形態でＨＤＤレコーダ１を操作して録画予約の設定を行ったユーザ（以下、ユーザ１と呼ぶ）とは異なっており、ユーザ２は、番組（５）の録画予約がユーザ１によって既に設定されていることは知らない。
【００７４】
ユーザ２によってＨＤＤレコーダ４において行われる番組（５）の録画予約は、そのままＨＤＤレコーダ４に設定される。なお、この時点で、ＨＤＤレコーダ４はＬＡＮ５に接続されている他のＨＤＤレコーダ１〜３がこの番組（５）の録画予約を行っているか否かの問い合わせをブロードキャストで行って、後述のようにＨＤＤレコーダ４における番組（５）の録画予約を、ＨＤＤレコーダ３における番組（５）の録画予約に集約することも可能である。ただし、この時点では、続けて番組（６）の録画予約が行われることが分からないので、ＨＤＤレコーダ３及びＨＤＤレコーダ４のそれぞれにおいて番組（６）の録画予約が重複して設定されても構わない。
【００７５】
ここでは、番組（５）の録画予約がＨＤＤレコーダ４に設定され、続けて番組（６）の録画予約が行われる場合について説明する。ＨＤＤレコーダ４に番組（６）の録画予約を設定しようとしても、既に放送時間が重複する異なるチャンネルの番組（５）が予約されているため、ＨＤＤレコーダ４は番組（６）の録画予約を他の録画機器に依頼する。そこで、ＨＤＤレコーダ４は、ブロードキャストを使用して番組（６）の録画予約の設定が可能なＨＤＤレコーダを探すが、ＨＤＤレコーダ１〜３には同一放送時間帯の異なるチャンネルの番組（３）〜（５）の録画予約が既に設定されているので、これらのＨＤＤレコーダ１〜３から番組（６）の録画予約が可能な旨の応答を得ることはできない。
【００７６】
そこで、ＨＤＤレコーダ４は、ブロードキャストを使用して、既に録画予約が設定されている番組（５）に関して、ＬＡＮ５に接続されている他のＨＤＤレコーダ１〜３がこの番組（５）の録画予約を行っているか否かの問い合わせを行う。ＨＤＤレコーダ３には番組（５）の録画予約が設定されているので（図１０の番組データ５０Ｃ）、ＨＤＤレコーダ３は、この問い合わせに対して、同一の番組（５）の録画予約が設定されている旨をＨＤＤレコーダ４に対して通知する。ＨＤＤレコーダ４は、この通知に基づいてＨＤＤレコーダ３に番組（５）の録画予約依頼を行う。
【００７７】
ＨＤＤレコーダ３は、この録画予約依頼を受けて、ＨＤＤレコーダ１から録画予約を依頼されている番組（５）のリンクテーブルに、新たな録画予約の依頼元であるＨＤＤレコーダ４のアドレスを追加するとともに（図１０のリンクテーブル５１Ｂ）、ＨＤＤレコーダ４に対して録画予約受理通知を送信する。ＨＤＤレコーダ４は、この録画予約受理通知を受けて、自機の録画予約テーブル１３ａ内の番組（５）の番組データのチャイルドポインタにＨＤＤレコーダ３のアドレスを登録する（図１０の番組データ５０Ｆ）。この登録により、ＨＤＤレコーダ４によるＨＤＤレコーダ３へ番組（５）の録画予約の依頼は完了となる。なお、録画の実行やコンテンツの再生に関しては、基本的に上述の本発明の第１の実施の形態で説明したものと同様の手順を取るため、ここでは説明を省略する。
【００７８】
＜第３の実施の形態＞
次に、本発明の第３の実施の形態について説明する。上述の本発明の第１及び第２の実施の形態では、ＨＤＤレコーダ１〜４が録画回路を１つのみ有し、複数番組の同時録画を行うことができないことを前提としているが、本発明の第３の実施の形態では、ＨＤＤレコーダ１〜４が録画回路を２つ以上有し、チャンネルが異なり、かつ時間帯が重なる複数の番組を同時に記録できるものとする。なお、ＨＤＤレコーダ１〜４が複数番組の同時録画機能を有するか否かという要素は、自機で番組の録画ができないと判断される基準を変えるだけであり、基本的な録画予約の設定動作、録画動作、再生動作は、上述の本発明の第１及び第２の実施の形態で説明したものと同様となる。
【００７９】
以下では、説明を簡略化するため、２つの番組の同時録画機能を有する１台のＨＤＤレコーダにおいて、初期状態として録画予約の設定が行われていない状態から、図４に図示されている番組表の番組（１）〜番組（３）の録画予約が設定される場合の動作について説明する。
【００８０】
（録画予約時の動作）
初期状態として録画予約がまったく設定されていないことを前提としているので、ＨＤＤレコーダにおいて、ユーザがまず番組（１）の録画予約の設定を行った場合には、番組（１）の録画予約はそのまま設定される。
【００８１】
次に、ＨＤＤレコーダにおいて番組（２）の録画予約を設定しようとした場合、チャンネルが異なり、かつ時間帯が重なっている番組（１）の録画予約が既に設定されているが、２つの番組の同時録画機能を有するＨＤＤレコーダでは、番組（１）を録画する回路（録画回路１）とは異なる別の録画回路２が未使用であり、この録画回路２を使用して番組（２）の録画を行うことができる、したがって、番組（２）の録画予約はそのままＨＤＤレコーダに設定される。
【００８２】
なお、これら２つの録画回路は同じ性能を有していてもよく、また、異なる性能を有していてもよく、本発明は、録画回路の性能によって制限されるものではない。また、録画回路の性能が同じ場合には、録画予約時にどちらの録画回路を使用するかを決める必要はなく、録画実行時に空いている録画回路を使用すればよい。２つの録画回路が異なる性能を有する場合の一例としては、例えば、録画回路１はアナログＢＳ放送も録画可能であるが、録画回路２はアナログＢＳ放送の録画を行うことができない場合などが挙げられる。
【００８３】
次に、ＨＤＤレコーダにおいて番組（３）の録画予約を設定しようとした場合、既に番組（１）及び番組（２）の録画予約が設定されているが、ＨＤＤレコーダは、番組（３）が番組（１）と同一のチャンネルであり、番組（１）の後に時間的に連続して放送される番組であり、番組（１）の録画を継続することで番組（３）の録画をシームレスに行うことができる旨を把握する。したがって、ＨＤＤレコーダは、番組（３）の録画予約は可能であると判断し、番組（３）の録画予約を設定する。
【００８４】
（録画実行時の動作）
本発明の第３の実施の形態におけるＨＤＤレコーダは、２番組同時録画が可能な録画機器であり、録画回路１を用いて番組（１）及び番組（３）を録画する一方、録画回路２を用いて番組（２）を録画する。録画回路１、２の録画処理は、基本的に図８Ａに図示されている処理と同一となる。したがって、録画回路２においては番組（２）の録画のみを行い、一方、録画回路１においては、番組（１）に時間的に連続し、かつ同一チャンネルで放送される番組（３）の録画予約に基づいて、番組（１）の録画処理を停止せずにそのまま番組（３）の録画を行う。
【００８５】
（再生時の動作）
また、番組（１）及び番組（３）のコンテンツは、シームレスな録画処理によって１つの映像・音声データとして録画されるが、上述のように、ユーザが予約設定したとおりのコンテンツ（すなわち、番組表どおりのコンテンツ）を再生できるように映像・音声データの分割や、番組の区切り位置の設定による論理的な分割が行われるので、ユーザは何ら特別な操作を行うことなく、従来と同様の操作によってコンテンツを番組単位で再生することが可能である。
【産業上の利用可能性】
【００８６】
本発明は、同一チャンネルで放送される時間的に連続した番組の録画を効率良く実行するという効果を有し、放送局から放送される番組などのコンテンツを記録するコンテンツ記録技術（録画技術）に適用可能である。
【図面の簡単な説明】
【００８７】
【図１】本発明の第１〜第３の実施の形態に共通するコンテンツ記録再生システムの一例を示すブロック図である。
【図２】図１に図示されているコンテンツ記録再生システムを構成するＨＤＤレコーダの主要な機能を示すブロック図である。
【図３】図２に図示されているＨＤＤレコーダ１の記憶部及びコンテンツ格納部に格納されるデータを説明するための模式図である。
【図４】本発明の第１の実施の形態を説明するための番組表の一例を示す図である。
【図５】本発明の第１の実施の形態において、番組（２）の録画予約が設定される場合の番組データの状態を模式的に示す図である。
【図６】本発明の第１の実施の形態において、番組（４）の録画予約が設定される場合の番組データの状態を模式的に示す図である。
【図７】本発明の第１の実施の形態において、番組（５）の録画予約が設定される場合の番組データの状態を模式的に示す図である。
【図８Ａ】本発明の第１の実施の形態における番組の録画処理の一例を示すフローチャートである。
【図８Ｂ】本発明の第１の実施の形態において録画されたコンテンツの再生処理の一例を示すフローチャートである。
【図９】本発明の第２の実施の形態を説明するための番組表の一例を示す図である。
【図１０】本発明の第２の実施の形態において、番組（６）の録画予約が設定される場合の番組データの状態を模式的に示す図である。
【符号の説明】
【００８８】
１〜４  ＨＤＤレコーダ（録画機器、コンテンツ記録装置）
５  ＬＡＮ
１１  Ｉ／Ｆ（インタフェース）
１２  制御部
１３  記憶部
１３ａ  録画予約テーブル
１３ｂ  録画済み番組テーブル
１４  記録再生部
１５  コンテンツ格納部
２０Ａ、２０Ｅ、２０Ｆ、２０Ｇ、３０Ｅ、３０Ｆ、３０Ｇ、４０Ｆ、４０Ｇ、５０Ｃ、５０Ｆ  番組データ
２１、３１、４１、５１Ｂ  リンクテーブル
【図１】
2009164797.tif 000003
【図２】
2009164797.tif 000004
【図３】
2009164797.tif 000005
【図４】
2009164797.tif 000006
【図５】
2009164797.tif 000007
【図６】
2009164797.tif 000008
【図７】
2009164797.tif 000009
【図８Ａ】
2009164797.tif 000010
【図８Ｂ】
2009164797.tif 000011
【図９】
2009164797.tif 000012
【図１０】
2009164797.tif 000013